(57)【要約】本発明は、送信および受信エンティティ間でのデータ交換、データの記憶、および／または、記憶媒体からのデータの読み出しに関して、送信および受信エンティティおよび／または記憶媒体においてＴＬＶオブジェクトに構造（ＳＴ）を割り当てることによって、ＴＬＶオブジェクト（ＴＬＶ０１−ＴＬＶ０３）の少なくとも１つのグループに優先順位メカニズムを割り当てる方法に関する。
2005526459.tif 000002
【特許請求の範囲】
【請求項１】
送信および受信エンティティ間でのデータ交換、データの記憶、および／または、記憶媒体からのデータの読み出しに関して、送信および受信エンティティおよび／または記憶媒体においてＴＬＶオブジェクトに構造（ＳＴ）を割り当てることによって、ＴＬＶオブジェクト（ＴＬＶ０１−ＴＬＶ０３）の少なくとも１つのグループに優先順位メカニズムを割り当てることを特徴とする方法。
【請求項２】
優先順位構造（ＳＴ）を前記ＴＬＶオブジェクト（ＴＬＶ０１−ＴＬＶ０３）の優先順位の順序によって表す、請求項１記載の方法。
【請求項３】
構造を少なくとも１つのＴＬＶオブジェクト（ＴＬＶ０１）の値フィールド（ＶＡＬ１）において定義する、請求項２記載の方法。
【請求項４】
優先順位が割り当てられたＴＬＶオブジェクトはＭＭＳ連結情報の異なるセット（ＴＬＶ０１−ＴＬＶ０３）である、請求項１から３までのいずれか１項記載の方法。
【請求項５】
優先順位が割り当てられたＴＬＶオブジェクトは、少なくとも１つのコアネットワークおよびベアラへのインタフェースＴＬＶオブジェクトの値フィールド（ＶＡＬＦ）におけるコアネットワークおよびベアラへのインタフェース情報の異なるセット（ＳＥ１−ＳＥｎ）である、請求項１から３までのいずれか１項記載の方法。
【請求項６】
ＴＬＶオブジェクトに対する優先順位構造をＴＬＶオブジェクトのタグ値（ＴＶ）の連続的なナンバリング（ＳＮ）によって割り当てる、請求項１から５までのいずれか１項記載の方法。
【請求項７】
タグ値がＴＬＶオブジェクトの複数のタグ内でユニークであるようにタグ値を適用する、請求項６記載の方法。
【請求項８】
最上位の優先順位を有するＴＬＶオブジェクトは支配的な状態である、請求項１から７までのいずれか１項記載の方法。
【請求項９】
送信および／または受信エンティティは移動機器（ＭＥ）である、請求項１から８までのいずれか１項記載の方法。
【請求項１０】
ＭＭＳに関するベアラの選択を、ＴＬＶオブジェクトの事前に割り当てられた優先順位構造に基づき移動機器によって自動的に行う、請求項９記載の方法。
【請求項１１】
記憶媒体はスマートカード、例えばＳＩＭ、ＵＩＣＣ、ＵＳＩＭ、ＷＩＭ、Ｒ−ＵＩＭ、ＤＩＭである、請求項１から１０までのいずれか１項記載の方法。
【請求項１２】
記憶媒体はユーザ機器（ＵＥ）に差し込まれる、請求項１０および１１記載の方法。
【発明の詳細な説明】
【技術分野】
【０００１】
本発明および本発明の別の実施形態を付属の図面を参照して以下説明する。
【図面の簡単な説明】
【０００２】
【図１Ａ】3GPP TS 31.102 V5.0.0 (Release 5) Characteristics of the USIM Applicationに定義されているようなＥＦＭＭＳＣＰにおけるＭＭＳ連結パラメータの記憶を示す。
【図１Ｂ】3GPP TS 31.102 V5.0.0 (Release 5) Characteristics of the USIM Applicationに定義されているようなＥＦＭＭＳＣＰにおけるＭＭＳ連結パラメータの記憶を示す。
【図２】「コアネットワークおよびベアラ情報へのインタフェース」に関する優先順位の順序が、本発明の第１の実施形態によるＭＭＳ連結情報の異なるセットの順序によってどのように表されるかを示す。
【図３Ａ】「コアネットワークおよびベアラ情報へのインタフェース」に関する優先順位の順序が、本発明の前述の第１の実施形態によるＭＭＳ連結情報の異なるセットの順序によってＵＳＩＭレベルにおいてどのように表されるかを示す。
【図３Ｂ】「コアネットワークおよびベアラ情報へのインタフェース」に関する優先順位の順序が、本発明の前述の第１の実施形態によるＭＭＳ連結情報の異なるセットの順序によってＵＳＩＭレベルにおいてどのように表されるかを示す。
【図４】「コアネットワークおよびベアラ情報へのインタフェース」に関する優先順位の順序が、本発明の第２の実施形態によるＭＭＳ連結情報の１つのセットにおいてその順序によってどのように表されるかを示す。
【図５Ａ】「コアネットワークおよびベアラ情報へのインタフェース」に関する優先順位の順序が、本発明の前述の第２の実施形態によるＭＭＳ連結情報の１つのセットにおいてその順序によってＵＳＩＭレベルにおいてどのように表されるかを示す。
【図５Ｂ】「コアネットワークおよびベアラ情報へのインタフェース」に関する優先順位の順序が、本発明の前述の第２の実施形態によるＭＭＳ連結情報の１つのセットにおいてその順序によってＵＳＩＭレベルにおいてどのように表されるかを示す。
【０００３】
同一の参照符号は図１から図５を通して対応する部分および要素を参照する。従来のコンフィギュレーションと比較した本発明の修正は図面において太文字および太線によって表されている。
【０００４】
一般的なＭＭＳサービスのアスペクトに責任がある標準化団体３ＧＰＰ  ＴＳＧ  ＳＡ１（3GPP TS 22.140,Multimedia Messaging Service(MMS) ; Service Aspect ; Stage1 (Release 5)を参照されたい）はＭＭＳ（マルチメディア・メッセージング・サービス）における（自動的な）ベアラ選択に関する新たな要求を承認した。これらの要求とはＭＭＳ対応ＵＥ（＝ユーザ機器：user equipment：例えば移動電話）はＵＳＩＭ（ＵＭＴＳ加入者識別モジュール）内に記憶されているコアネットワークおよびベアラへのインタフェースパラメータの異なるセットのリストから、その優先順位の順序に基づきベアラを自動的に選択できるものでほしいということである。ベアラの自動的な選択が不能である場合には、ユーザはコアネットワークおよびベアラへのインタフェースパラメータから手動でベアラを選択できるべきである。さらには、最も好ましいベアラが使用できない場合には、その最も好ましいベアラよりかは好ましくないベアラへの切り替えがユーザのあらゆる介入無くとも行われることも所望される。ネットワークオペレータおよびユーザはマルチメディア・メッセージの配信および送信のために最も適切なベアラの使用から便益を得ようとする。現在、３ＧＰＰ  ＵＳＩＭ規格ＴＳ  ３１．１０２においては、コアネットワークおよびベアラへのインタフェースパラメータを記憶することによりあらゆる優先順位の順序を表す手段は存在せず、したがって新たな標準化要求を満たすことができていない。
【０００５】
本発明の課題はこの問題の解決手段を提供することである。このことは有利には、ＴＬＶオブジェクトのリストに優先順位をつける２つの択一的で有利なメカニズムと、コアネットワークおよびベアラへのＭＭＳインタフェースパラメータからその優先順位の順序に基づき自動的にベアラを選択するための２つの相応のメカニズムを規定する。
【０００６】
現今では、ＧＳＭ（Global System for Mobile Comunications）のようなモバイル・ネットワークにおいて、ＳＭＳ（ショート・メッセージ・サービス、Short Message Service）がショートメッセージを移動端末装置間で送受信される。現在、新たなメッセージング・サービス、いわゆるＭＭＳ（マルチメディア・メッセージング・サービス）が標準化されてきている。ＳＭＳとは異なり、ＭＭＳメッセージは例えばテキスト、イメージ、オーディオまたはビデオのようなマルチメディア要素を含むことができる。
【０００７】
ＭＭＳは２つのＭＭＳユーザエージェント間のピア・ツー・ピアでのメッセージング・サービスであり、これらＭＭＳユーザエージェントは両方ともＭＭＳリレー／サーバと接続されている。ユーザエージェントは移動電話、例えばＵＭＴＳ−ＵＥ（ユーザ機器）またはＧＳＭ−ＭＳ（移動局）に属するか、移動電話と接続されている外部装置、例えばノートブック／ラップトップに属するか、それどころかＰＣに属する。このことはマルチメディア・メッセージ（ＭＭ）のビュー、構成および処理、例えばＭＭを送信および受信することをユーザに可能にするアプリケーション層機能には有利である。ＭＭＳリレー／サーバは到来するメッセージおよび送出されるメッセージの記憶および処理、ならびに異なるメッセージングシステム間でのメッセージの伝送に対して責任を負うネットワークエンティティである。一般的には、そのような伝送および受信エンティティ間ではデータ交換が存在する。
【０００８】
第２世代のような移動通信サービス、例えばＧＳＭ（Global System for Mobile Communication）および第３世代のような移動通信サービス、例えばＵＭＴＳ（Universal Mobile Telecommunication Service）は有利には、移動電話に加え明確に規定されたスマートカードを使用する。移動電話に差し込まれるこれらのスマートカードによってユーザは、ユーザが加入している移動通信サービスを利用することができる。さらには、ユーザの好みおよびセッティングならびにユーザの個人情報もそのようなスマートカードに記憶することができる。ＧＳＭにおいてはこれらのカードはＳＩＭ（加入者識別モジュール）と称される。ＵＭＴＳにおいてはＵＩＣＣ（ユニバーサルＩＣカード；ＩＣ：集積回路）と称される物理カードとその論理的な機能性、ＵＳＩＭ（ＵＭＴＳ加入者識別モジュール）とが区別される。
【０００９】
現在では、ＵＳＩＭにおけるＭＭＳ連結パラメータのための基礎ファイル（elementary file for MMS Connectivity parameter、ＥＦＭＭＳＣＰ）が定義されている。このＥＦ（基礎ファイル：elementary file）はマルチメディア・メッセージング連結パラメータに関する値を包含しており、この値はＭＭＳを目的としてネットワークとの接続を準備するユーザアシスタントのためのＭＥによって使用することができる。このＥＦＭＭＳＣＰは、ＭＭＳサービスがＵＳＩＭサービステーブルにおいて「使用可能」であるときに存在する。このＥＦＭＭＳＣＰが図１に示されている。
【００１０】
ＥＦＭＭＳＣＰは例えばスマートカードのような記憶媒体におけるトランスパレントなファイルであり、この記憶媒体にＭＭＳ連結パラメータが連続的に記憶されている。パラメータの検索および読み出しをより容易にするために、パラメータはいわゆる構造化されたＴＬＶ（タグ、長さ、値：Tag,Length,Value）オブジェクト構造を使用することにより記憶されている。ＭＭＳ連結パラメータはＭＭＳインプリメンテーションから成り、このＭＭＳインプリメンテーションは使用されるインプリメンテーション（例えばＷＡＰ）、ＭＭＳリレー／サーバアドレス、コアネットワーク（例えばＧＧＳＮ）へのアクセスポイントを含むコアネットワークおよびベアラへのインタフェース情報のセット、要求されるベアラ情報要素（例えばベアラ、アドレス、アドレスのタイプ、速度、呼出タイプ、認証タイプ、認証ｉｄ、認証パスワード）、またゲートウェイ情報（例えばアドレス、アドレスタイプ、ポート、サービス、認証タイプ、認証ｉｄおよび認証パスワード）のセットを示す。これら全ての情報は３ＧＰＰ  ＴＳ  ２３．１４０に記載されているガイドラインに従い符号化されている（3GPP TS 23.140, Multimedia Messaging Service(MMS);Functional description; stage 2 (Release 5)を参照されたい）。
【００１１】
本発明にしたがい以下の例を検討する。この例におけるメカニズムによってＭＭＳ対応ＵＥは、ＵＳＩＭにおいて、さもなければ固有にユーザによって定義されているようなその優先順位の順序に基づき、コアネットワークおよびベアラへのインタフェースパラメータからベアラを自動的に選択することができる。ベアラの自動的な選択が不能である場合には、ユーザはコアネットワークおよびベアラへのインタフェースパラメータから手動でベアラを選択することができる。これを実現するための２つの有利なやり方が存在する。
【００１２】
Ｉ）自動的なベアラ選択を実現するための第１の可能性は、ＭＭＳ連結パラメータのセットに優先順位メカニズムを割り当てることである（図２を参照されたい）。ＭＭＳ連結パラメータの種々のセット、例えば図２におけるＴＬＶ０１−ＴＬＶ０３はＥＦＭＭＳＣＰに記憶することができる。ここでセット１：１番目のＭＭＳ連結パラメータＴＬＶ１１−ＴＬＶ１４（タグ、長さ、値）、セット２：２番目のＭＭＳ連結パラメータ、セット３：３番目のＭＭＳ連結パラメータ。全ての連結パラメータセットはＭＭＳインプリメンテーション、ＭＭＳリレー／サーバ、コアネットワークおよびベアラへのインタフェース情報ならびにゲートウェイ情報から成る。これら３つ全てのＭＭＳ連結パラメータセットにおいては、ＭＭＳインプリメンテーション、ＭＭＳリレー／サーバおよびゲートウェイ情報は同一でよく（ＭＭＳインプリメンテーションＡ、ＭＭＳリレー／サーバＡおよびゲートウェイＡ）、コアネットワークおよびベアラへのインタフェース情報のみが相互に異なる（１番目のＭＭＳ連結パラメータ＝＞コアネットワークおよびベアラへのインタフェースパラメータＡ、２番目のＭＭＳ連結パラメータ＝＞コアネットワークおよびベアラへのインタフェースパラメータＢ、３番目のＭＭＳ連結パラメータ＝＞コアネットワークおよびベアラへのインタフェースパラメータＣ）。一般に「コアネットワークおよびベアラへのインタフェースパラメータ」に関する優先順位の順序が表されており、それぞれＭＭＳ連結情報の異なるセットの順序によって割り当てられる。送信および受信エンティティ間でのデータ交換、データの記憶および／または記憶媒体からのデータの読み出しに関して、優先順位メカニズムを少なくとも１つのＴＬＶオブジェクト、例えば図２におけるＴＬＶ０１−ＴＬＶ０３に割り当てるために構造ＳＴが割り当てられ、殊に送信および受信エンティティおよび／または記憶媒体におけるＴＬＶオブジェクト、例えばＴＬＶ０１−ＴＬＶ０３に関して定義される。優先順位構造ＳＴは有利にはＴＬＶ０１−ＴＬＶ０３のようなＴＬＶオブジェクトの優先順位の順序によって表される。したがって前述の構造は有利には、図２における少なくとも１つのＴＬＶオブジェクト、例えばＴＬＶ０１の図２における値フィールド、例えばＶＡＬ１内で定義される。有利には、優先順位が割り当てられたＴＬＶオブジェクトはＭＭＳ連結情報の異なるセット、例えばＴＬＶ０１−ＴＬＶ０３である。
【００１３】
自動的にベアラを選択する場合、ＭＭＳ  ＵＡは好適には常に最上位の優先順位を有するＭＭＳ連結パラメータセットを選択し、この例においてはＭＭＳ連結パラメータの１番目のセットを選択する。自動的にベアラを選択することが不能である場合には、ユーザは優先的なベアラを手動でベアラのリストから選択することができる。図２によるこの例においては、ユーザはＭＭＳ連結パラメータの１番目のセット、ＭＭＳ連結パラメータの２番目のセットおよびＭＭＳ連結パラメータの３番目のセットのうちから選択することができる。
【００１４】
図３で例示的に、ＭＭＳ連結情報の異なるセットをどのようにＵＳＩＭに記憶することができるか、またコアネットワークおよびベアラへのインタフェース情報に関する優先順位の順序をどのように表すことができるかを示す。自動的なベアラ選択は上述したようなＭＭＳ連結情報の異なるセットの順序を利用することができる。図３は、「コアネットワークおよびベアラへのインタフェース情報」に関する優先順位の順序がどのように割り当てられるか、殊にＵＳＩＭレベルにおいてＭＭＳ連結情報の異なるセットの順序によってどのように表されるかを示す。優先順位メカニズムはＭＭＳ連結パラメータＴＬＶのグループに割り当てられる：１番目のＭＭＳ連結パラメータＴＬＶオブジェクト（最上位の優先順位）、２番目のＭＭＳ連結パラメータＴＬＶオブジェクト、...、ｎ番目のＭＭＳ連結パラメータＴＬＶオブジェクト（最下位の優先順位）。コアネットワークおよびベアラへのインタフェース情報に関する優先順位の順序に基づく自動的なベアラ選択がどのように機能するかは上述の通りである。
【００１５】
ＩＩ）自動的にベアラを選択するためにコアネットワークおよびベアラへのインタフェース情報の異なるセットを優先順位情報と共にＵＳＩＭに記憶することを実現する別の有利な可能性が図４に示されている。コアネットワークおよびベアラへのインタフェース情報に関する優先順位の順序はＭＭＳ連結情報の１つのセットにおいてその順序によって表されている。すなわち優先順位メカニズムは、１つのＴＬＶオブジェクト、例えばＴＬＶ０の「値」、例えばＶＡＬＦであるＴＬＶオブジェクトのリストに関して定義されている。ＭＭＳ連結パラメータはＭＭＳインプリメンテーション、ＭＭＳリレー／サーバ、コアネットワークおよびベアラ情報へのインタフェースならびにゲートウェイ情報を含む。コアネットワークおよびベアラへのインタフェース情報ＴＬＶ０はコアネットワークおよびベアラへのインタフェース情報の種々のセット、すなわちコアネットワークおよびベアラへの１番目のインタフェース情報例えばＳＥ１、コアネットワークおよびベアラへの２番目のインタフェース情報例えばＳＥ２、...、コアネットワークおよびベアラへのｎ番目のインタフェース情報例えばＳＥｎから成る。したがって図４においては「コアネットワークおよびベアラへのインタフェース情報」に関する優先順位の順序は、ＭＭＳ連結情報の１つのセットＳＥにおいてその順序によって表されている。一般に、優先順位が割り当てられたＴＬＶオブジェクトは、例えば少なくとも１つのコアネットワークおよびベアラへのインタフェースＴＬＶオブジェクトの値フィールド、例えばＶＡＬＦ内のコアネットワークおよびベアラへのインタフェース情報の異なるセット、例えばＳＥ１−ＳＥｎである。
【００１６】
自動的にベアラを選択する場合、ＭＭＳ  ＵＡは最上位の優先順位を有するＭＭＳ連結パラメータセットを常に選択し、この例ではコアネットワークおよびベアラへのインタフェース情報の１番目のセットを選択する。自動的にベアラを選択することが不能である場合、ユーザは優先的なベアラをベアラのリストから手動で選択することができる。この例では、ユーザはコアネットワークおよびベアラへのインタフェース情報の１番目のセット、コアネットワークおよびベアラへのインタフェース情報の２番目のセット、コアネットワークおよびベアラへのインタフェース情報のｎ番目のセットのうちから選択することができる。
【００１７】
図５は、コアネットワークおよびベアラへのインタフェース情報の異なるセットをＵＳＩＭにおいて１つのＴＬＶオブジェクトにおいてどのように記憶できるか、またコアネットワークおよびベアラへのインタフェース情報に関する優先順位の順序をどのように表すことができるかを示す。自動的なベアラ選択は上述したように、コアネットワークおよびベアラへのインタフェース情報の異なるセットの順序を利用することができる。特に図５においては「コアネットワークおよびベアラへのインタフェース情報」に関する優先順位の順序が、ＵＳＩＭレベルにおけるＭＭＳ連結情報の１つのセットにおいてその順序によって表されている。したがってＴＬＶオブジェクトに関する優先順位構造は、ＴＬＶオブジェクトのタグ値、例えばＴＶの連続的なナンバリングＳＮによって割り当てられている。殊にタグ値は、これらの値がＴＬＶオブジェクトの複数のタグ内で固有であるように適用される。
【００１８】
優先順位メカニズムは、コアネットワークおよびベアラへのインタフェース情報に専用のＴＬＶオブジェクトにおいて割り当てられている：コアネットワークおよびベアラへの１番目のＭＭＳインタフェース情報ＴＬＶオブジェクト（最上位の優先順位）、コアネットワークおよびベアラへの２番目のＭＭＳインタフェース情報ＴＬＶオブジェクト、...、コアネットワークおよびベアラへのｎ番目のＭＭＳインタフェース情報ＴＬＶオブジェクト（最下位の優先順位）。「コアネットワークおよびベアラへのインタフェース情報」に関する優先順位の順序を使用する自動的なベアラ選択がどのように機能するかは上述の通りである。
【００１９】
全ての実施形態に関して、最も優先順位の高いＴＬＶオブジェクトが有利には支配的な状態である。
【００２０】
要約すると本発明は、３ＧＰＰ  ＴＳＧ  ＳＡ１により要求されるような優先順位の順序でコアネットワークおよびベアラへのインタフェース情報の異なるセットをＵＳＩＭに記憶するための２つの利点、択一的な解決手段を提供し、また優先順位の順序に基づく、さもなくばユーザにより固有に行われるコアネットワークおよびベアラへのインタフェースパラメータのこれらの異なるセットからのベアラの自動的な選択をＭＭＳ対応ＵＥに可能にする。ベアラの自動的な選択が不能である場合には、ユーザは依然としてベアラをコアネットワークおよびベアラへのインタフェースパラメータのセットから手動で選択することができる。
【００２１】
本発明において説明したメカニズムの利点は、ユーザのＭＭＳ対応端末が優先順位の順序に基づき適切なベアラを用いることにより自動的にコンフィギュレートできるか（すなわちユーザのあらゆる干渉は要しない）、手動でコンフィギュレートできることである。
【００２２】
別の利点は本発明において説明したメカニズムが、所定の時点におけるユーザ固有の移動機器（すなわち移動電話）に依存しないことである。本発明において説明したベアラ選択メカニズムに関する優先順位は有利には、移動機器（＝ＭＥ）または端末に接続されるあらゆる装置に差し込むことができるＵＩＣＣにおけるＵＳＩＭに記憶することができる（ユーザ機器＝移動機器＋記憶媒体、例えばスマートカード）。
【００２３】
これに関しては有利には以下のことが提供される：
スマートカードにおいて定義されている優先順位に基づき、コアネットワークおよびベアラへのＭＭＳインタフェース情報からベアラを自動的および手動で選択するためのメカニズム：
ａ）ＭＭＳ連結情報の異なるセットの順序によって表されるコアネットワークおよびベアラへのインタフェース情報に関する優先順位。
・スマートカード例えばＳＩＭ、ＵＩＣＣ、ＵＳＩＭ、ＷＩＭ、Ｒ−ＵＩＭ、ＤＩＭなどにおけるＥＦ（基礎ファイル）内のＴＬＶオブジェクトのグループに関する優先順位メカニズムの定義。
・ベアラの自動的および手動での選択を処理するためのＭＭＳ  ＵＡの機能性（例えば図２から図５による本発明を参照されたい）。
ｂ）コアネットワークおよびベアラへのインタフェース情報に関する優先順位はＭＭＳ連結情報の１つのセットにおける順序によって表される。
・スマートカード例えばＳＩＭ、ＵＩＣＣ、ＵＳＩＭ、ＷＩＭ、Ｒ−ＵＩＭ、ＤＩＭなどにおけるＥＦ内の１つの（構造化された）ＴＬＶオブジェクト内のＴＬＶオブジェクトのグループに関する優先順位メカニズムの定義。
・ベアラの自動的および手動での選択を処理するためのＭＭＳ  ＵＡの機能性（例えば図２から５による本発明を参照されたい）。
【００２４】
さらには、本発明において説明したようなＴＬＶオブジェクトに優先順位を割り当てるためのメカニズムをＴＬＶオブジェクトを利用するあらゆるアプリケーションに適用することができる。ＴＬＶオブジェクトに優先順位を割り当てるためのメカニズムは、ＴＬＶオブジェクトが使用される他の一般的な目的のためにも使用することができる。
【００２５】
さらには、本発明において説明したような優先順位がつけられたＴＬＶオブジェクトの自動的および手動での選択メカニズムは、「コアネットワークおよびベアラへのインタフェース情報」のＵＳＩＭへの記憶の目的にのみ制限されるものではない。メカニズムはＴＬＶオブジェクトを利用するあらゆるアプリケーションに適用することもできる。自動的および手動での選択メカニズムをＴＬＶオブジェクトが使用される他の一般的な目的のために使用することもできる。
【００２６】
本発明は以下の文献を参照する：
［１］  3GPP TS 31.102 V5.0.0 (Release 5), Characteristics of the USIM Application
［２］  3GPP TS 23.140, Multimedia Messaging Service (MMS); Functional description; stage2 (Release 5)
［３］  W. Rankel, W. Effing, Smartcard Handbook, John Wiley & Sons, second edition, 2000.
［４］  3GPP TS 22.140, Multimedia Messaging Service (MMS); Sevice Aspects; Stage 1 (Release 5)
【図１Ａ】
2005526459.tif 000003
【図１Ｂ】
2005526459.tif 000004
【図２】
2005526459.tif 000005
【図３Ａ】
2005526459.tif 000006
【図３Ｂ】
2005526459.tif 000007
【図４】
2005526459.tif 000008
【図５Ａ】
2005526459.tif 000009
【図５Ｂ】
2005526459.tif 000010
【国際調査報告】
2005526459.tif 000011
2005526459.tif 000012